(57)【要約】      （修正有）【課題】両手に嵌めた浴用タオルで身体を洗うことができるので、身体を洗う時間が短縮され、身体の隅々まで洗えて、石鹸の泡立ちが良く、石鹸の使用量が減らすことができるボディウォッシュタオルを提供する。【解決手段】ボディウォッシュタオルは、合成樹脂からなるフィラメント糸をラッセル織りで筒状に製織して一定の長さに裁断し、丸めてリング状に形成し、各リングをカラミ編みで連結した本体と、合成樹脂からなるフィラメント糸で作製した左右一対の手袋を本体の両端に装着している。石鹸の泡立ち、水切りが良く、本体は伸縮し、手袋を両手に嵌めたまま片手を返す方法で無理なく背中を洗うことができる。【選択図】図１
0003141635.tif 000002
【実用新案登録請求の範囲】
【請求項１】
合成樹脂からなるフィラメント糸をラッセル織りで筒状に製織して一定の長さに裁断し、丸めてリング状に形成し、各リングをカラミ編みで連結した本体と、合成樹脂からなるフィラメント糸で作製した左右一対の手袋を本体の両端に装着したことを特徴とするボディウォッシュタオル。
【請求項２】
手袋の一部にキャラクター、マスコット、ロゴ、シンボルマーク等をデザインして宣伝に使用可能としたこ々を特徴とする請求項１に記載のボディウォッシュタオル。
【考案の詳細な説明】
【技術分野】
【０００１】  本考案は、入浴時に背中洗いを含めて身体の隅々まで丁寧に迅速に洗うことができ、泡立ちを良くして石鹸の使用量を減らし、水切りがよく、収納場所が少なくて済むように考案したボディウォッシュタオルである。
【背景技術】
【０００２】  寒冷時の入浴には身体を手早く洗わないと風邪を引くことがある。特に病人や高齢者にとっては身体を迅速に丁寧に洗えることが重要である。
従来のボディウォッシュタオルは長方形のシートになっていて、折り畳んだり、広げたりした状態で石鹸を付けて使用する。
手袋型ボディウォッシュタオルとしては、左右一対の長い手袋を連結して使用する方法や、左右一対の手袋を帯状の布で連結して使用する方法が提供されている。
【考案の開示】
【考案が解決しようとする課題】
【０００３】  ボディウォッシュタオルを使用する環境条件としては、湯冷めしないように身体を洗う時間を短縮すること、身体の隅々まで洗えること、石鹸の泡立ちが良いこと、背中を自分で簡単に洗えること、使用しない時にスペースを取らないこと、水切りが良いこと等である。
従来のシート状のボディウォッシュタオルは石鹸の泡立ちは劣り、両手を利用して身体を洗うことができない。このため、身体を洗う時間が掛かる問題点がある。
左右の手袋を連結したボディウォッシュタオルや左右一対の手袋を帯状の布で連結したボディウォッシュタオルは石鹸の泡立ちに難点があり、使用しない時のスペースが必要であり、水切りにも難点がある。
【課題を解決するための手段】
【０００４】  本考案のボディウォッシュタオルは、合成樹脂からなるフィラメント糸をラッセル織りで筒状に製織して一定の長さに裁断し、丸めてリング状に形成し、各リングをカラミ編みで連結して本体とした両端に、合成樹脂からなるフィラメント糸で作製した左右一対の手袋を装着しているので石鹸を付けると泡立ちが良く、石鹸の消費量が少なくて済む。本体と手袋は合成樹脂からなるらフィラメント糸を使用し、本体はメッシュのシートを丸めた形状なので、水切りが良く、乾燥も早い。また、編み方の特徴としてあまり太さが変化しないで伸縮するので、背中を洗う際に本体の両端に装着した手袋を両手に嵌めたまま片手を返す方法で無理なく背中を洗うことができ、手袋を脱ぐ必要がない。帯状でないのでよじれを心配する必要がなく、肌触りも良い。
手袋に石鹸を付けて両手で身体の各部分を別々に擦ると、従来のボディウォッシュタオルを使用して片手で擦った時の倍以上の速さで全身を擦ることができ、身体を洗う時間は大幅に短縮され、しかも洗い残しがなく、お湯の使用量が少なくてすむ。
手袋の一部にキャラクター、マスコット、ロゴ、シンボルマーク等をデザインして宣伝に使用するような宣伝媒体として利用することもでき、子供にとって入浴を楽しくさせる効果も期待できる。
【考案の効果】
【０００５】  本考案の効果は下記の通りである。
［イ］両手に嵌めた浴用タオルで身体を洗うことができるので、身体を洗う時間が短縮され、身体の隅々まで洗える。
［ロ］石鹸の泡立ちが良く、石鹸の使用量が減る。
［ハ］身体を洗う時間が短縮され、お湯の使用量が減り、湯冷めしない。
［ニ］手袋を連結する中央本体部分が伸縮するので、手袋を嵌めたまま本体部分で背中を洗うことができ、腕のリハビリに役立つ。
［ホ］縮んだ形状で掛けておくことができるので、スペースを取らない。
【考案を実施するための最良の形態】
【０００６】  以下、本考案の実施の形態について説明する。
【実施例１】  図１は本考案のボディウォッシュタオルを手の甲側図であり、図２は本考案のボディウォッシュタオルを手の平側図である。
本考案のボディウォッシュタオルは、合成樹脂からなるフィラメント糸をラッセル織りで筒状に製織して一定の長さに裁断し、丸めてリング状に形成し、各リング（６）をカラミ編みで連結して本体（１）とした両端に、合成樹脂からなるフィラメント糸で作製した左右一対の手袋（２）、（３）を固定布（４）を介在させて縫い付けている。実際には、手袋は手の甲側、手の迴則の区分は無く、両面を手の甲側としても、手の平側としても使用できる。【０００７】  手の甲側にキャラクター、マスコット、ロゴ、シンボルマーク等をデザインすると手袋の手の甲側、手の平側の区分ははっきりする。このようなデザインは商品価値を高め、子供が入浴時に本考案のボディウォッシュタオルを遊び感覚で使用するようになり、清潔に身体を保つと共に、自立心も芽生える。
図３はボディウォッシュタオルの手袋（２）、（３）の手の甲側にマスコット（５）を装着した状態を示す。マスコットに替え、キャラクターをデザインすることができる【０００８】本考案のボディウォッシュタオルは、合成樹脂からなるフィラメント糸をラッセル織りで筒状に製織して一定の長さに裁断し、丸めてリング状に形成し、各リングをカラミ編みで連結した本体（１）を主体とし、この本体（１）に合成樹脂からなるフィラメント糸で作製した左右一対の手袋（２）、（３）を装着したことに特徴がある。
図４では本体（１）が縮まっている状態を示し、図５では本体（１）を伸ばした状態を示している。縮まった状態の本体（１）に力を加えて伸ばすと、リング（６）が伸びて空間（７）が生ずる。
【産業上の利用可能性】
【０００９】
【００１０】  入浴時に身体を洗うボディウォッシュタオルとして使用される。石鹸とお湯の使用量が減り、湯冷め防止にもなる。身体の不自由な人にも使用しやすく、介護にも使用しやすい。
【図面の簡単な説明】
【００１１】
【図１】本考案になるボディウォッシュタオルの手の甲側図である。
【図２】本考案になるボディウォッシュタオルの手の平側図である。
【図３】手袋の手の甲側にマスコットを装着した状態を示す説明図である。
【図４】ボディウォッシュタオルの本体を縮まった状態の説明図である。
【図５】ボディウォッシュタオルの本体を伸ばした状態の説明図である。
【符号の説明】
【００１２】１  本体
２、３  手袋
４  固定布
５  マスコット
６  リング
７  空間
【図１】
0003141635.tif 000003
【図２】
0003141635.tif 000004
【図３】
0003141635.tif 000005
【図４】
0003141635.tif 000006
【図５】
0003141635.tif 000007
【手続補正書】
【提出日】平成20年1月31日(2008.1.31)
【手続補正１】
【補正対象書類名】実用新案登録請求の範囲
【補正対象項目名】全文
【補正方法】変更
【補正の内容】
【実用新案登録請求の範囲】
【請求項１】
合成樹脂からなるフィラメント糸をラッセル織りで筒状に生織して一定の長さに裁断し、丸めてリング状に形成し、各リングをカラミ編みで連結した本体と、合成樹脂からなるフィラメント糸で作成した左右一対の手袋を本体の両端に装着したことを特徴とするボディウォッシュタオル。
【請求項２】
手袋の一部にキャラクター、マスコット、ロゴ、シンボルマークより少なくとも一つ以上を選択してデザインしたことを特徴とする請求項１に記載のボディウォッシュタオル。